(57)【要約】【課題】発生したトラブルが簡単な措置で回復するものである場合の撮影機能の維持に好適なカメラを提供する。【解決手段】発生したトラブルが簡単な措置で回復するものである場合に、発生した故障の解決策を画像表示する。【選択図】　　　　図８
2004038062.tif 000002
【特許請求の範囲】
【請求項１】
被写体からの光を取り込んで所定の撮影面上に結像させることにより撮影を行なうカメラにおいて、
画像を表示する表示パネルと、
自身に発生した所定の異常を検出する異常発生検出手段と、
前記異常発生検出手段において検出された所定の異常に対する解決策を前記表示パネルに表示する表示制御手段とを備えたことを特徴とするカメラ。
【請求項２】
光軸方向に移動する撮影レンズを備え、前記異常発生検出手段は、該撮影レンズの移動における異常を検出するものであって、
前記表示制御手段は、このカメラへの振動の付与を要請する内容の画像を表示するものであることを特徴とする請求項１記載のカメラ。
【発明の詳細な説明】
【０００１】
【発明の属する技術分野】
本発明は、被写体からの光を取り込んで所定の撮影面上に結像させることにより撮影を行なうカメラに関する。
【０００２】
【従来の技術】
従来より、カメラによっては、そのカメラにトラブルが生じると、そのトラブルの発生が、カメラの背面に備えられた表示パネル、あるいはファインダ内に画像表示され、そのトラブルが、例えば手ブレによる撮影不良を防止する防振装置などの写真を上手く撮るために備えられている補助的な機能について発生した場合であっても、撮影の失敗を防止するためにレリーズロックなどの撮影禁止の措置がとられるものもある。
【０００３】
これに対し、特開平１１−８４４４５号公報には、トラブルが、写真を上手く撮るために備えられている補助的な機能について発生した場合には、そのトラブルにより動作しなくなった機能は働かない旨の表示は行なわれるものの撮影の続行が可能なカメラが提案されている。
【０００４】
【発明が解決しようとする課題】
ところが、上記提案のカメラでも、ショックを与えたり、電源をリセットするなどの簡単な措置で回復する程度のトラブルが発生した時ですら、一部の機能が働かなくなった状態での撮影、あるいは撮影不能に追い込まれる可能性があるという点では問題が残る。
【０００５】
本発明は、上記事情に鑑み、簡単な措置で回復するトラブルが発生した場合の撮影機能の維持に好適なカメラを提供することを目的とする。
【０００６】
【課題を解決するための手段】
上記目的を達成するための本発明のカメラは、
被写体からの光を取り込んで所定の撮影面上に結像させることにより撮影を行なうカメラにおいて、
画像を表示する表示パネルと、
自身に発生した所定の異常を検出する異常発生検出手段と、
上記異常発生検出手段において検出された所定の異常に対する解決策を上記表示パネルに表示する表示制御手段とを備えたことを特徴とする。
【０００７】
本発明のカメラでは、ユーザの手助けによって回復の可能性が高いトラブルが発生したときには、そのトラブルの解決策が画像表示される。これにより、ユーザーの手によって、そのトラブルが解決される可能性がでてくる。したがって、本発明のカメラによれば、ユーザの手助けにより回復の可能性が高いトラブルが発生した場合に、撮影機能を維持できる可能性がある。
【０００８】
ここで、光軸方向に移動する撮影レンズを備え、上記異常発生検出手段は、この撮影レンズの移動における異常を検出するものであって、
上記表示制御手段は、このカメラへの振動の付与を要請する内容の画像を表示するものであってよい。
【０００９】
このように、レンズの移動に関する故障では、カメラに振動を与えることで故障の解決を図ることができる場合がある。
【００１０】
【発明の実施の形態】
以下、本発明のカメラの実施形態について説明する。
【００１１】
図１、図２は、本発明のカメラの一実施形態の外観斜視図である。
【００１２】
図１には、本実施形態のカメラ１の、レンズ鏡胴１１の繰り出し状態が示されている。このカメラ１は、不使用時にはレンズ鏡胴が沈胴されて収納されるズーム機能付のデジタルカメラである。
【００１３】
図１に示すカメラ１のレンズ鏡胴１１は、詳しくは後述するが、３つのレンズ群を内包しており、このカメラ１では、カメラ前方側の２つのレンズ群を光軸方向に移動させることで焦点距離調節が行なわれるとともに、残る１つのレンズ群を光軸方向に移動させることによりピント調節が行なわれる。
【００１４】
図１に示すカメラ１の正面上部には、フラッシュ発光窓１２およびファインダ対物窓１３が配置されている。また、このカメラ１の上面には、シャッタボタン１４が配置されている。
【００１５】
図２は、本実施形態のカメラの、斜め後方からの外観斜視図である。
【００１６】
図２に示されている本実施形態のカメラ１の背面には、画像を表示する画像モニタ１００、画像モニタによる画像表示をオン／オフするための画像モニタ起動ボタン１６、ファインダ接眼窓１５、バリエーションの選択およびズームを行なう際に操作される十字キー１７、画像モニタ上にメニューを画像表示させたり、その確定に使用されるメニュー／ＯＫスイッチ１８、このカメラ１に備えられている‘撮影記録’機能および‘画像データ再生’機能のうちのいずれを選択するかを決定するために操作される機能選択レバー１９、および、機能選択レバー１９の軸上に設けられたメインスイッチ２が備えられている。
【００１７】
このカメラ１では、機能選択レバー１９を上側にもっていくことで‘撮影記録’機能が選択され、機能選択レバー１９を下側にもっていくことで‘画像データ再生’機能が選択される。また、この‘撮影記録’機能においては、図示しないモードダイヤルによって、‘人物撮影’モード、‘風景撮影’モード、‘スポーツ’モード、‘セルフタイマ’モード、および‘自己撮影’モードのうちのいずれかを選択することが可能である。
【００１８】
このカメラ１のズーム操作用のスイッチである十字キー１７の上側のキーを押すと、押し続けている間、レンズ鏡胴１１が望遠側に繰り出し、十字キー１７の下側のキーを押すと、押し続けている間、レンズ鏡胴１１が広角側に移動する。
【００１９】
図３は、図１に示すカメラの回路構成を示すブロック図である。
【００２０】
このカメラ１には、前述した、３つのレンズ群からなる撮影レンズ１０、ＣＣＤ撮像素子２０、およびフラッシュ発光部３０が備えられている。撮影レンズ１０を経由してＣＣＤ撮像素子２０上に結像された被写体像は、ＣＣＤ撮像素子２０により、アナログの画像信号に変換され、このフラッシュ発光部３０は、低照度時に閃光を発光する。
【００２１】
また、このカメラ１には、アナログ信号処理部４０と、Ａ／Ｄ部５０と、デジタル信号処理部６０と、テンポラリメモリ７０と、圧縮伸長部８０と、内蔵メモリ（またはメモリカード）９０と、駆動回路部１４０とが備えられている。ＣＣＤ撮像素子２０は、駆動回路部１４０内のタイミングジェネレータ（図示せず）によって生成したタイミングで駆動され、アナログの画像信号を出力する。また、駆動回路部１４０には、撮影レンズ１０、フラッシュ発光部３０などを駆動する駆動回路（不図示）も含まれている。ＣＣＤ撮像素子２０から出力されたアナログの画像信号は、アナログ信号処理部４０でアナログ信号処理され、Ａ／Ｄ部５０でＡ／Ｄ変換されてデジタル信号処理部６０でデジタル信号処理される。デジタル信号処理された信号を表わすデータはテンポラリメモリ７０に一時的に格納される。テンポラリメモリ７０に格納されたデータは、圧縮伸長部８０で圧縮されて内蔵メモリ（またはメモリカード）９０に記録される。テンポラリメモリ７０に格納されたデータは画像モニタ１００に読み出され、これにより画像モニタ１００に被写体の画像が表示される。
【００２２】
さらに、このカメラ１には、このカメラ１全体の制御を行なうＣＰＵ１３０と、操作スイッチ群１１０と、シャッタボタン１４と、詳しくは後述するフォトインラプタ１７０とが備えられており、操作スイッチ群１１０を操作して所望の撮影状態に設定してシャッタボタン１４を押下することにより写真撮影が行なわれ、レンズ駆動において発生した異常はフォトインラプタ１７０で検出されてＣＰＵ１３０に伝えられる。
【００２３】
ここで、図３に示した撮影レンズ１０について説明する。
【００２４】
図４は、レンズ鏡胴の断面図である。
【００２５】
図４には、カメラ前方側である図４の左から順に、第１レンズ群１０１、第２レンズ群１０２、および第３レンズ群１０３が示されており、各レンズ群は、それぞれ第１レンズ枠１１１、第２レンズ枠１１２、および第３レンズ枠１１３によって保持されている。第３レンズ枠１１３には、この第３レンズ枠が後述するフォトインラプタ１７０によって検出されるための棒部１１３１ａが立設されている。
【００２６】
また、図４には、第１レンズ枠１１１が嵌め込まれている第１鏡筒１２１、および、第２レンズ枠１１２が嵌めこまれている第２鏡筒１２２が示されている。
【００２７】
この第１鏡筒１２１および第２鏡筒１２２には、それぞれカムピン１２１１、１２２１が立設されている。
【００２８】
さらに、図４には、カメラ本体１ａに固定されている固定筒１２３、および、上述したカムピン１２１１、１２２１が嵌め込まれるカム溝１２４１、１２４２が内壁に設けられた回転筒１２４が示されている。
【００２９】
固定筒１２３には、光軸方向と平行に延びると共に、上述の２本のカムピン１２１１、１２２１が貫通される貫通孔（不図示）が設けられている。
【００３０】
回転筒１２４は、カメラ本体１ａと、カメラ本体１ａに固定されている固定筒１２３のカメラ前方側に備えられたフランジ１２３１との間に回転自在に挟持されている。
【００３１】
回転筒１２４の外周側後端（図４では右側）には、駆動ギア部１２４３が備えられており、外部からの駆動力が図示しないギア列を介して伝達されてくる。
【００３２】
また、図４には、第３レンズ枠１１３の端部１１３ｂを貫通している案内軸１８０、第３レンズ枠１１３の上記端部とは別の端部１１３ａ内で螺合されているリードスクリュ１９０、回転軸がリードスクリュに接合されているモータ１５０、第３レンズ枠１１３の端部１１３ａに立設されている棒部１１３１ａを検出することで第３レンズ枠の移動状態を監視している２つのフォトインタラプタ１７０が示されている。２つのフォトインタラプタ１７０のうちの１つは、モータ１５０の前面側に取り付けられ、もう１つは、カメラ本体１ａに取り付けられている。
【００３３】
案内軸１８０は、両端が、カメラ本体１ａおよび第２鏡筒１２２によって支持されており、リードスクリュ１９０は、両端が、カメラ本体１ａおよびモータ１５０によって支持されている。
【００３４】
ここで、撮影レンズ１０の光軸方向への移動について説明する。
【００３５】
ズームレバーとして使用する十字キー１７の操作に応じて、回転筒１２４の回転が、光軸方向に移動することなくその場で行なわれる。
【００３６】
この回転筒１２４の回転により、固定筒１２３を貫通して回転筒の内壁に設けられたカム溝に嵌め込まれたカムピンが立設されている第１レンズ枠１１１および第２レンズ枠１１２は、カム溝の光軸方向への変化に応じて、相対的に光軸方向に移動する。その後、フォーカシングによって第３レンズ枠１１３の移動がモータ１５０を駆動させることで行なわれる。このモータ１５０を正回転させると、第３レンズ枠１１３はカメラの前方方向に移動し、逆回転させるとカメラの背面方向に移動する。
【００３７】
図５は、図４に示されている第３レンズ枠の端部の、リードスクリュによって螺合されている部分の断面図である。
【００３８】
図５には、第３レンズ枠１１３の端部１１３ａに嵌め込まれたスクリュコマ１６０がリードスクリュと螺合している様子が示されている。
【００３９】
図６は、図５に示されるスクリュコマの外観図である。
【００４０】
図６に示されるスクリュコマ１６０は、プラスチック製の、土台１６０ｄと、２本の上腕コマ１６０ａ、１６０ｂと、下腕コマ１６０ｃとで構成されており、第３レンズ枠１１３の端部１１３ａの中に嵌め込まれて固定されている。
【００４１】
スクリュコマ１６０は、上腕と下腕の間にリードスクリュ１４０を挟み込んでリードスクリュ１９０と螺合した状態となっているため、モータ１５０によってリードスクリュ１９０が回転されると、光軸方向に移動することとなる。これにより、第３レンズ枠１１３も光軸方向に移動することとなり、フォーカシングが行なわれる。
【００４２】
ここで、このカメラ１を、例えば、誤って床などに落としてしまった場合、図５に示される状態にあったスクリュコマ１６０とリードスクリュ１９０が、図７に示す状態になる可能性がある。
【００４３】
図７は、カメラ後方側のメカ端にいたスクリュコマの上腕と下腕との間隔が、カメラの落下による床との衝突時に発生した慣性力によってカメラ本体にぶつかって開いてしまった様子が示されている。
【００４４】
図７には、上腕コマの片方１６０ｂが、本来使用しない部分に入り込んでしまった様子が示されている。
【００４５】
図７に示される状態において、スクリュコマ１６０には上腕コマと下腕コマの間隔を元に戻そうとする力が発生し、これが、リードスクリュを挟み込もうとする力となるため、モータのトルクが負けてリードスクリュ１９０は回転不能の状態となる。このレンズ駆動機構の異常の発生は、モータに対する回転指示が出されているにもかかわらず、フォトインタラプタ１７０において検出されている第３レンズ枠１１３の端部１１３ａに立設された棒部１１３１ａの移動が見られないことで判定されている。
【００４６】
従来、このような場合には、レンズの移動が不可能であることを理由に撮影不能の措置がとられていた。
【００４７】
しかし、上記のような場合、第３レンズ枠１１３ａをカメラ前方方向に移動させるようにモータを回転させながらショックを与えることで、越えてきてしまった山を再び反対側から越えさせることができる可能性がある。
【００４８】
図８は、本実施形態のカメラにおいて発生したレンズ駆動の異常に対する解決策が示されている様子を示す図である。
【００４９】
図８には、撮影画角内の画像表示に代わり、発生したレンズ駆動異常に対する解決策「ショックを与えてください」が、如何にカメラを動かすことでそのショックを作りだすかも含めて表示されている。
【００５０】
図９は、レンズの駆動異常が発生した場合に起動されるルーチンのフローチャートである。
【００５１】
図９に示されるステップＳ１ではカウンタがリセットされ、ステップＳ２では、画像モニタ１００において撮影画角内の被写体のリアルタイム画像の代わりに、この異常に対する解決策である「ショックを与えてください」と、カメラを如何に動かすことでカメラに対しショックを与えることができるかを示す画像とが共に表示される。その後、ステップＳ３に進む。
【００５２】
ステップＳ３では、その異常状態から第３レンズ枠１１３が脱出できるようなな回転方向への回転がモータに指示される。その後、ステップＳ４に進み、第３レンズ枠１１３が駆動できるようになったか否かが判定される。
【００５３】
ステップＳ４において、いまだ駆動できないと判定されたときはステップＳ５に進み、カウント値が１００になったか否かが判定される。
【００５４】
ステップＳ４において、駆動できるようになったと判定されると、ステップＳ８に進み、画像表示を撮影画角内の被写体に戻し、このルーチンを終了する。
【００５５】
ステップＳ５において、カウントが１００になっていないと判定されると、ステップＳ６に進み、カウント値の加算が行なわれる。その後、ステップＳ２に戻る。
【００５６】
ステップＳ５において、カウントが１００になったと判定されると、ステップＳ７に進み、撮影の中止が指示され、その後、このルーチンを終了する。
【００５７】
このように、本実施形態のカメラ１では、メカ端において発生した食いつきによるレンズ駆動についての故障に対し、ユーザの手を借りた正常化の試みが可能となっている。
【００５８】
これにより、本実施形態のカメラ１によれば、メカ端において発生した食いつきによるレンズ駆動についてのトラブルを解決できる場合があるため、撮影を続行できる可能性がでてくる。
【００５９】
尚、本実施形態では、メカ端に発生した食いつきによる異常に対し、ユーザの手を借りて解決を図る例を挙げて説明したが、本発明はこれに限らず、例えばシステムの暴走による撮影機能の停止に対し、電源のリセットを指示する例をあげるものであってもよく、また、本実施形態では、デジタルカメラを例に挙げて説明したが、発生した異常に対する解決策を表示できる表示パネルを有するものであれば、ロール状のフィルム、あるいはインスタントフィルムに写真撮影を行なうカメラを例に挙げてもよい。
【００６０】
【発明の効果】
以上説明したように、本発明のカメラによれば、簡単な措置で回復するトラブルが発生した場合に、撮影機能を維持できる可能性が出てくる。
【図面の簡単な説明】
【図１】本発明のカメラの一実施形態の外観斜視図である。
【図２】本発明のカメラの一実施形態の外観斜視図である。
【図３】図１に示すカメラの回路構成を示すブロック図である。
【図４】レンズ鏡胴と、このレンズ鏡胴に内包された、３つのレンズ群で構成される撮影レンズとを示す図である。
【図５】図４に示されている第３レンズ枠の端部の、リードスクリュによって螺合されている部分の断面図である。
【図６】図５に示されるスクリュコマの外観図である。
【図７】メカ端にいたスクリュコマの上腕と下腕との間隔が、カメラの落下による床との衝突時に発生した慣性力によってカメラ本体にぶつかり開いてしまった様子が示されている。
【図８】本実施形態のカメラにおいて発生したレンズ駆動の異常に対する解決策が示されている様子を示す図である。
【図９】レンズの駆動異常が発生した場合に起動されるルーチンのフローチャートである。
【符号の説明】
１　カメラ
１ａ　カメラ本体
２　メインスイッチ
１０　撮影レンズ
１１　レンズ鏡胴
１２　フラッシュ発光窓
１３　ファインダ対物窓
１４　シャッタボタン
１５　ファインダ接眼窓
１６　画像モニタ起動ボタン
１７　十字キー
１８　メニュー／ＯＫスイッチ
１９　機能選択レバー
２０　ＣＣＤ撮像素子
３０　フラッシュ発光部
４０　アナログ信号処理部
５０　Ａ／Ｄ部
６０　デジタル信号処理部
７０　テンポラリメモリ
８０　圧縮伸長部
９０　内蔵メモリ
１００　画像モニタ
１０１　第１レンズ群
１０２　第２レンズ群
１０３　第３レンズ群
１１０　操作スイッチ群
１１１　第１レンズ枠
１１２　第２レンズ枠
１１３　第３レンズ枠
１１３ａ、１１３ｂ　端部
１１３１ａ　棒部
１２１　第１鏡筒
１２１１、１２２１　カムピン
１２２　第２鏡筒
１２３　固定筒
１２３１　フランジ
１２４　回転筒
１２４３　被駆動ギア部
１３０　ＣＰＵ
１４０　駆動回路部
１５０　モータ
１６０　スクリュコマ
１６０ａ、１６０ｂ　上腕コマ
１６０ｃ　下腕コマ
１７０　フォトインタラプタ
１８０　案内軸
１９０　リードスクリュ
【図１】
2004038062.tif 000003
【図２】
2004038062.tif 000004
【図３】
2004038062.tif 000005
【図４】
2004038062.tif 000006
【図５】
2004038062.tif 000007
【図６】
2004038062.tif 000008
【図７】
2004038062.tif 000009
【図８】
2004038062.tif 000010
【図９】
2004038062.tif 000011